(57)【要約】【課題】  電池ユニットに収納された複数の電池の電池残量を個別に把握し、放電を制御できる電池ユニットを提供する。【解決手段】  複数の電池の各々の電池残量を測定する電池残量測定部５１と、測定した電池残量に応じて受電すべきいずれかの電池を選択するメイン制御部５０と、測定した電池残量を表示するＬＣＤ４と、選択した電池に係る情報を表示する給電確認ランプ５と、選択した電池から電力を受電すると、受電した電力を電圧変換してまたは電圧変換しないで電池ユニット１と接続された所定の携帯端末へ給電する出力制御部５２と、を有する。【選択図】    図２
2017005915.tif 000002
【特許請求の範囲】
【請求項１】
複数の電池を収納する可搬型電池ユニットであって、
前記複数の電池の各々の電池残量を測定する測定手段と、前記測定した電池残量に応じて受電すべきいずれかの電池を選択する選択手段と、前記測定した電池残量または前記選択した電池に係る情報を表示する表示手段と、前記選択した電池から電力を受電する受電手段と、前記受電した電力を電圧変換してまたは電圧変換しないで自電池ユニットと接続された所定の携帯端末へ給電する給電手段と、を有することを特徴とする可搬型電池ユニット。
【発明の詳細な説明】
【技術分野】
【０００１】
本発明は、複数の電池を収納でき、且つ収納した複数の電池の電池残量および放電を個別で管理、制御ができる可搬型電池ユニットに関する。
【背景技術】
【０００２】
特許文献１に記載されている電池ユニットの様な従来の可搬型電池ユニットは、複数の電池を直列に接続して所望の電池容量を得るものである。
【０００３】
しかしながら、特許文献１に記載されているような従来の可搬型電池ユニットは、収納した複数の電池を個別に管理、制御できず、各電池の電池残量を調整できないため、個別の電池の交換効率が悪く経済的ではないという問題があった。
【先行技術文献】
【特許文献】
【０００４】
【特許文献１】特開２０１４−１４６５８０号公報
【発明の概要】
【発明が解決しようとする課題】
【０００５】
そこで、本発明の課題は、電池ユニットに収納された複数の電池の電池残量を個別に把握し、放電を制御できる電池ユニットを提供する事にある。
【課題を解決するための手段】
【０００６】
上記課題を解決するために、本発明は複数の電池を収納する可搬型の電池ユニットであって、前記複数の電池の各々の電池残量を測定する測定手段と、前記測定した電池残量に応じて受電すべきいずれかの電池を選択する選択手段と、前記測定した電池残量または前記選択した電池に係る情報を表示する表示手段と、前記選択した電池から電力を受電する受電手段と、前記受電した電力を電圧変換してまたは電圧変換しないで自電池ユニットと接続された所定の携帯端末へ給電する給電手段と、を有することを特徴とする。
【発明の効果】
【０００７】
本発明によれば、電池ユニットに収納された複数の電池の電池残量を個別に把握でき、および個別の電池についての放電を制御することにより、電池の交換効率を改善し、電池をより経済的に利用することができる。
【図面の簡単な説明】
【０００８】
【図１】本発明による構造を採用した一実施例を示す斜視図
【図２】電池ユニット１に内蔵された回路の一例を示すブロック図
【図３】電池ユニット１に内蔵された回路の処理の一例を示すフローチャート図
【発明を実施するための形態】
【０００９】
図１は、本発明の電池ユニット１、及び複数の電池２が電池ユニット１に収納された状態を示す斜視図である。本実施例における電池ユニット１は、収納されている複数の電池２の電池残量を個別に表示するＬＣＤ４と、電池２の収納箇所に対応しており、いずれの電池２が電池ユニット１に給電しているかを発光して示す給電確認ランプ５と、ユニットケース３に包まれＬＣＤ４と給電確認ランプ５の動作に係る制御および収納された電池２のいずれから電池ユニット１に給電を行うかを制御するための回路と、接続された所定の携帯端末に給電する出力ケーブル６で構成されている。
【００１０】
電池ユニット１内に搭載された回路は、収納されている複数の電池２の電力の内、最も電圧の低い電池２を選択し、電池ユニット１に給電する。電池ユニット１は、出力ケーブル６を通じて選択された電池２から給電された電力を、接続された所定の携帯端末に給電する。
【００１１】
ここで、各電池２の電池残量については、電池ユニット１内に搭載された回路が各電池２の電圧を測定しており、図２に後述する。
【００１２】
尚、本図１において収納されている電池２は図示しないものも含め６個として記載しているが、これは一例であり、２個以上の電池２が収納されていればよい。
【００１３】
また、ＬＣＤ４と給電確認ランプ５を併せて確認することで、交換の必要がある電池、または現在使用中ではなく交換が可能な電池を正確に把握することが可能である。
【００１４】
さらに、本実施例においては電池ユニット１から給電される対象を所定の携帯端末と説明するが、本発明による給電対象は携帯端末に限定されないものとする。
【００１５】
図２は、電池ユニット１に搭載された回路の機能の一例についてブロック図で示したものである。電池ユニット１内の回路にはメイン制御部５０、複数の電圧測定部５１、出力制御部５２が搭載される。
【００１６】
電圧測定部５１は、収納されている電池２の電圧を測定する。出力制御部５２は、本電池ユニット１に接続された所定の携帯端末の要求する電圧に変換して給電する。
【００１７】
メイン制御部５０は、電圧測定部５１が測定した値を基に、ＬＣＤ４にその情報を表示させる。また、収納されている複数の電池２の内、最も電圧が低い電池２から電力を給電させる指示を出力制御部５２に発信し、給電している電池２に対応する給電確認ランプ５の点灯制御を行う。
【００１８】
次に、メイン制御部５０は、選択された電池２の電圧が規定値を下回るまで給電を続け、選択された電池２の電圧が規定値を下回ったならば、次に電池残量の少ない電池２からの給電に切り替える指示を出力制御部５２に発信する。
【００１９】
すなわち、使用する電池を決めた後は、選択された電池の電圧が規定値を下回るまで使い続けることで、消耗する電池をひとつに限定することができる。消耗する電池がひとつに限定されることで、収納された複数の電池を同時に消耗することが無いため、電池交換の際には消耗した電池から個別に交換する事が可能である。そのため、経済的に電池を利用することができる。
【００２０】
図３は、本発明の電池ユニット１内の回路に搭載されたメイン制御部５０の処理についてフローチャート図にて一例を示したものである。本フローは電池ユニット１に２個以上の電池２が収納され、出力ケーブル６に所定の携帯端末が接続された時にスタートする。
【００２１】
まず、電池２を電池ユニット１に収納した際に、収納された全ての電池２の電圧を電圧測定部５１で測定し（Ｓ３０１）、測定した複数の電池２の内、既定の電圧以上を発揮できる電池があるか否かを判断する（Ｓ３０２）。
【００２２】
収納された全ての電池２の電圧を測定して、既定の電圧を発揮できる電池２が一つもない場合（Ｓ３０２、ＮＯ）、フローを終了する。既定の電圧を発揮できる電池２がある場合（Ｓ３０２、ＹＥＳ）、Ｓ３０１で測定した全ての電池２の中から最も電圧の低い電池を選択し（Ｓ３０３）、出力を開始する（Ｓ３０４）。
【００２３】
次に、Ｓ３０４で出力を開始した電池２の電圧が規定値を下回ったか否かを電圧測定部５１で監視し（Ｓ３０５）、当該電池２の電圧が規定値を下回った場合（Ｓ３０５、ＮＯ）、当該電池２の使用完了をＬＣＤ４に表示して（Ｓ３０６）、Ｓ３０１に戻り、収納された電池２のいずれかに規定値を上回る電圧を有するものがある限り、本フローを繰り返す。
【符号の説明】
【００２４】
１・・・電池ユニット
２・・・電池
３・・・ユニットケース
４・・・ＬＣＤ
５・・・給電確認ランプ
６・・・出力ケーブル
５０・・・メイン制御部
５１・・・電池残量測定部
５２・・・出力制御部
【図１】
2017005915.tif 000003
【図２】
2017005915.tif 000004
【図３】
2017005915.tif 000005